【手続補正書】
【提出日】平成18年1月11日(2006.1.11)
【手続補正１】
【補正対象書類名】明細書
【補正対象項目名】全文
【補正方法】変更
【補正の内容】
【書類名】  明細書
【発明の名称】  水浄化装置
【特許請求の範囲】
【請求項１】水に含まれる懸濁物質を濾過する濾過手段と、前記濾過手段内部に充填された粒状濾材と、濾過方向とは逆方向に通水することで前記濾過手段を洗浄する逆洗手段と、前記濾過手段に接続され、前記粒状濾材径より大きな流路径を有し、前記濾過手段の逆流洗浄時に前記濾過手段から流出する前記粒状濾材を捕捉する濾材捕捉手段を備えた水浄化装置。
【請求項２】濾材捕捉手段は、筐体と、前記筐体の上端中央部に設けられた流出部と、前記筐体の内面接線方向で且つ前記筐体の中心軸に対し下方側に４５°〜７５°の角度となるように設けられた流入管で構成される流入部を備えた請求項１記載の水浄化装置。
【請求項３】筐体が円筒形状とするとともに、前記筐体の内径をＤ1、流入管の内径をＤ2とする時、前記筐体及び流入管のそれぞれの内径比ε1＝Ｄ2／Ｄ1を３〜５．５とした請求項２記載の水浄化装置。
【請求項４】流出部から流入管の出口先端中心軸までの高さをｈ1、筐体の底面から流出部までの高さをｈ2とする時、それぞれの高さ寸法比ε2＝ｈ2／ｈ1を３〜５とした請求項２または３記載の水浄化装置。
【請求項５】筐体内部の流入口下方側にオリフィス状の濾材巻上防止体を有する傾斜部を備えた請求項２〜４のいずれか１項記載の水浄化装置。
【請求項６】濾材巻上防止体の上面部分に、上側方向に７５゜〜１０５゜の角度を有する請求項２〜５のいずれか１項記載の水浄化装置。
【請求項７】筐体の内径をＤ1、濾材巻上防止体の中央開口部の内径をＤ3とする時、前記筐体及び中央開口部のそれぞれの内径比ε3＝Ｄ3／Ｄ1を０．３〜０．５とする請求項６記載の水浄化装置。
【請求項８】筐体の上端中央部に設けられた流出部にパイプ状の分離壁を下方側に突出させ設けるとともに、前記分離壁の垂直長さをｈ3、流出部から流入管の出口先端中心軸までの高さをｈ1とする時、それぞれの寸法比ε4＝ｈ1／ｈ3を０．３〜０．８の範囲とした請求項２〜７のいずれか１項記載の水浄化装置。
【発明の詳細な説明】
【０００１】
【発明の属する技術分野】
本発明は、業務用あるいは家庭用として風呂水を浄化する水浄化装置の技術に関するも
のである。
【０００２】
【従来の技術】
従来のこの種の水浄化装置としては、図１２に示すように、浴槽水をポンプで循環させながらフィルターで濾過する浴槽水システムにフィルターの逆洗回路を備え、さらにフィルター手前に給湯器よりの高温水を供給する高温水供給回路を備え、給湯器からの６３℃以上の高温水でフィルターを洗浄するものがある（例えば、特開平９―１１７３８２号公報）。
【０００３】
同図において、１は給水管２から供給された水を加熱し、ガラスビーズを充填した濾過槽３及びヘアキャッチャー４を逆流洗浄する給湯器である。また、５は浴槽、６は浴槽水をヘアキャッチャー４及び濾過槽３で濾過しながら循環するポンプためのポンプである。さらに７は循環回路８に設けられた浴槽水の保温を行う加熱器である。９、１０、１１、１２、１３、１４、１５はそれぞれ水の流れを切り替える切替三方弁及び開閉弁である。
【０００４】
この構成において、切替三方弁１０、１１、１２、１３、１４を切り替えて循環回路８が連通する様にし、ポンプ６を運転すると浴槽水が、ヘアキャッチャー４及び濾過槽３で濾過されると共に、加熱器７で加熱され浴槽５に戻される。また、切替三方弁１０、１１、１２、１３、１４を切り替えて給湯器１から濾過槽３及びヘアキャッチャー４へ通水可能にし、開閉弁１５を開にすると、給湯器１から６３℃以上の高温水が濾過槽３及びヘアキャッチャー４に通水され濾過槽３及びヘアキャッチャー４が洗浄され汚れが切替三方弁１１を介して外部に排出する。
【０００５】
【発明が解決しようとする課題】
しかしながら上記従来の水浄化装置では、高温の湯で洗浄するため、微生物の分解作用を用いた濾過方式とはせず、ガラスビーズ（粒状濾材）を充填した濾過槽で物理的に濾過している。しかし、給湯器の湯を用いてガラスビーズを洗浄している為、洗浄流量、洗浄温度が変化すると洗浄時の濾材の膨張率が変化する上、設置状況（特に水道管の水圧が高く空気が過剰に溶解している状態）によっては給湯器燃焼時に余剰空気が析出し、気泡を含んだ状態で濾過槽に供給されるため、ガラスビーズなどの疎水性の粒状濾材は、その表面に付着した気泡による浮力増加で、見た目の比重が軽くなり洗浄時に外部に流出し易く、排水側に設けた弁が故障（粒状濾材の噛み込みによる弁の動作不良や、ボール弁に発生する傷などのシール不完全による閉止機能異常）が起こるという課題があった。
【０００６】
【課題を解決するための手段】
本発明は上記課題を解決するため、水に含まれる懸濁物質を濾過する濾過手段と、濾過手段内部に充填された粒状濾材と、濾過方向とは逆方向に通水することで濾過手段を洗浄する逆洗手段と、濾過手段に接続されると共に粒状濾材径より大きな流路径を有し、濾過手段の逆流洗浄時に濾過手段から流出する粒状濾材を捕捉する濾材捕捉手段を備えたものである。
【０００７】
上記発明によれば、濾過時に粒状濾材上層部に堆積した汚れが逆流洗浄を行うことで濾過手段外部に排出される。この際、疎水性で比較的比重の大きい粒状濾材を用いたとしても、水の流れにより、わずかに濾過手段の外部に流出するものがあるが、濾過手段と排水側の切替弁の間に設けられた濾材捕捉手段で粒状濾材を確実に捕捉分離することで濾材の流出が防止される。よって排水側に設けた弁が故障する事がなく、水浄化装置の信頼性を向上させる事が可能となる。
【０００８】
【発明の実施の形態】
本発明の請求項１に係る水浄化装置は、水に含まれる懸濁物質を濾過する濾過手段と、
濾過手段内部に充填された粒状濾材と、濾過方向とは逆方向に通水することで濾過手段を洗浄する逆洗手段と、濾過手段に接続されると共に粒状濾材径より大きな流路径を有し、濾過手段の逆流洗浄時に濾過手段から流出する粒状濾材を捕捉する濾材捕捉手段を備えたものである。そして、逆洗時に粒状濾材が濾過手段外部に流出し、濾材捕捉手段内に流入すると粒状濾材が水の流れから分離され濾材捕捉手段下方部に堆積する。よって、濾過手段の洗浄排水から粒状濾材が確実に分離される。
【０００９】
本発明の請求項２に係る水浄化装置は、濾材捕捉手段が、筐体と、筐体の上端中央部に設けられた流出部と、筐体の内面接線方向で且つ筐体の中心軸に対し下方側に４５〜７５°の角度を有して設けられた流入管で構成される流入部とを有するものである。そして、濾過手段から流出した逆洗水は筐体の中心軸に対して所定の角度だけ下方に向けて流入口から濾材捕捉手段の内壁を沿うように流れ、徐々に筐体内部に旋回流が生じる。この様になれば、流出した粒状濾材は旋回流が有する遠心力により筐体内壁に押し付けられ、分離される。また水平方向に対して４５〜７５°の角度だけ下方に向けて水流が吐出されるため、逆洗水中に空気が含まれていたとしても、粒状濾材が下方向の運動エネルギーを有することで気泡とは分離されやすく確実に分離沈降される。その後、粒状濾材が分離された逆洗水は筐体の水平方向中央部に生じた流出口方向への上向きの流れとなって濾材捕捉手段から流出する。つまり遠心力が有効に働く範囲とすることで安定した濾材捕捉性能が得られる。
【００１０】
本発明の請求項３に係る水浄化装置は、筐体を円筒形状とするとともに、筐体の内径をＤ1、流入管の内径をＤ2とする時、前記筐体及び流入管のそれぞれの内径比ε1＝Ｄ2／Ｄ1を３〜５．５とするものである。そして、筐体内壁面に生じる旋回流及び筐体の中心軸方向に生じた上向きの流れが安定する。これにより、分離された粒状濾材が流出方向への流れに混合されることなく逆洗水から安定して分離される。しかし、流入管の内径Ｄ2が変化すると通水抵抗が変化するため通水量が増加し、筐体内の旋回流の旋回速度、流出部への上昇流の速度も変化するようになるが、内径比ε1を所定の範囲内にすることで下方向きの旋回流の遠心力が確保されると共に、上向きの上昇流の速度が所定値以下に抑えられる様になる。つまり旋回流速及び上昇流速が所定範囲内に収まり、粒状濾材が逆洗水から安定して分離される。
【００１１】
本発明の請求項４に係る水浄化装置は、流出部から流入管の出口先端中心軸までの高さをｈ1、筐体の底部から流出部までの高さをｈ2とする時、それぞれの高さ寸法比ε2＝ｈ2／ｈ1を３〜５としたものである。そして、ε2を３〜５とすることで筐体内で形成される旋回流の旋回回数が十分に確保される。よって粒状濾材が筐体壁面に添って十分に旋回することで、逆洗水から確実に分離される。
【００１２】
本発明の請求項５に係る水浄化装置は、筐体内部の流入口下方側にオリフィス状の濾材巻上防止体を有するものである。そして、旋回流により筐体壁面に沿って下方に導かれた粒状濾材は、オリフィス状の濾材巻上防止体よりさらに下方に導かれ筐体の底部付近に達する。しかし濾材巻上防止体下方でも旋回流が生じるため、粒状濾材は筐体壁面を添って旋回し、粒状濾材を含まない洗浄水のみが上昇する様になる。つまり筐体底部付近で上向きの流れが生じたとしても、濾材巻上防止体で遮られるため粒状濾材が上昇することがない。よって事前に捕捉した粒状濾材を濾材捕捉手段から流出する事を防止できる。
【００１３】
本発明の請求項６に係る水浄化装置は、濾材巻上防止体の上側方向に７５〜１０５゜の角度を有する傾斜部を設けたものである。そして、筐体中心軸に対して生じた旋回流により筐体内壁面に添って下方に移動する粒状濾材の大部分が、濾材巻上防止体の上面で跳ね返ることなく下方側に送られ堆積することになる。よって、濾材捕捉手段での粒状濾材捕捉率［＝流入部通過濾材量−流出部通過濾材量］÷流入部通過濾材量 （％）］が向上す
る。また、流入部からの通水量がゼロになると、粒状濾材の遠心力がゼロになり自重により所定角度θ2で形成される面に添って濾材巻上防止体の下方に沈降する。このため確実に濾材巻上防止体の下方側に効果的に捕捉することができる。
本発明の請求項７に係る水浄化装置は、筐体の内径をＤ1、濾材巻上防止体の中央開口部の内径をＤ3とする時、前記筐体及び中央開口部のそれぞれの内径比ε3＝Ｄ3／Ｄ1を０．３〜０．５とするものである。そして、ε3を０．３〜０．５とすることで、筐体中心軸に対して生じる旋回流が働く際には、筐体中心軸に対して上向きの流れが生じても、濾材巻上防止体の周辺下面では確実に上向きの流れが遮られるため濾材巻上防止体の下方に沈降した粒状濾材が巻き上がらない。よって流出口からの粒状濾材の流出を効果的に防止できる。
【００１４】
本発明の請求項８に係る水浄化装置は筐体の上端中央部に設けられた流出部にパイプ状の分離壁を下方側に突出させて設けるとともに、分離壁の垂直長さをｈ3、流出部から流入管の出口先端中心軸までの高さをｈ1とする時、それぞれの寸法比ε4＝ｈ1／ｈ3を０．３〜０．８としたものである。そして、筐体中心軸に対して生じる旋回流が働く際には、流体の遠心力及び流体の流れ特性により、粒状濾材を分離壁の外側上方側及び下方側等に、空気を分離壁内側下方部付近にそれぞれ分離する様になる。つまり粒状濾材の表面に空気が付着したり、粒状濾材が空気の近傍にあって浮力の影響を受けやすく流出し易い状態でも、濾材捕捉性能が飛躍的に向上する。特にε4を０．３〜０．８とすることで、流入管先端から分離壁下方先端までの十分な距離と、分離壁下方先端から上方に分離壁外周外部に十分な容積をが確保することで、通水される水に含まれる空気の量が瞬間的に増加しても、その空気が分離壁下方先端の外側付近に一時的に滞留し、その後徐々に分離壁内部に導かれるようになる。つまり、遠心力により、粒状濾材が逆洗水から安定して分離されることになる。
【００１５】
【実施例】
以下、本発明の実施例について図面を用いて説明する。
【００１６】
（実施例１）
図１は本発明における実施例１の水浄化装置の濾過・逆洗動作状態を示す模式構成図である。図１において、１６は浴槽１７内の水を循環する循環ポンプ、１８は循環回路である。１９は循環回路１８に設けられた濾過手段であり、内部にはアルミナを主成分とする等価比重が３．５以上の粒状濾材１９ａが充填されている。２０は循環回路１９に設けられ循環する水の追い焚き及び保温を行う風呂加熱部である。
【００１７】
また、２１は第一の流路切替弁（電動三方弁）であり、循環ポンプ１６の往き側、濾過手段１９の上方側、第二の流路切替弁（電動三方弁）２２側に接続するように設けられている。また第二の流路切替弁２２は、濾過手段１９の下流側、浴槽１７への往き側、第一の流路切替弁２１側に接続するように設けられている。２３は洗浄管であり第一の流路切替弁２１と第二の流路切替弁２２とを接続するように設けられている。
【００１８】
また、２４は濾過手段１９の逆洗時の湯を供給する給湯加熱部であり、逆止弁２５、給湯電磁弁２６を介して洗浄管２３に接続されている。さらに２７は排水管であり、濾材捕捉手段２８及び排水電動弁２９を介して、浴槽１７と第二の流路切替弁２２側との間の循環回路１８に接続されている。
【００１９】
次に濾過時の動作・作用を、図１を用いて説明する。第一の流路切替弁２１が循環ポンプ１６と濾過手段１９を連通し洗浄管２３側を閉、第二の流路切替弁２２が浴槽１７の往
き側と濾過手段１９を連通し洗浄管２３側を閉の状態で、循環ポンプ１６が動作すると、波線矢印で示すように、浴槽１７内の湯が循環回路１８内を循環するようになる。この様になれば濾過手段１９で循環する水に含まれる懸濁物質が粒状濾材１９ａで濾過分離され浴槽１７に戻される様になる。
【００２０】
また浴槽１７内の水は所定温度になるように循環回路１８を循環する際に風呂加熱部２０で加熱制御されている。
【００２１】
しかし、この状態が継続されると、循環する水は濾過され清澄化するが、濾過手段１９内の粒状濾材１９ａで形成される濾材層の上層から中層にかけては懸濁物質等の汚れが堆積するようになるが、この様になれば、後述する逆洗動作を行うことで濾過手段１９が洗浄できる。
【００２２】
次に濾過手段１９の洗浄時の動作・作用を、図１を用いて説明する。図１に示すように、第一の流路切替弁２１が濾過手段１９側と洗浄管２３側を閉止、第二の流路切替弁２２が洗浄管２３と濾過手段１９を連通し浴槽１７往き側を閉の状態で給湯電磁弁２７が開になると、給湯加熱部２４で出湯温度が約５０℃制御された湯が、実線矢印で示すように濾過手段１９内に流れ込み、濾過手段１９内に堆積した汚れが排水管２７から浴槽１７内に排出され、濾過手段１９内が洗浄される様になる。
【００２３】
また図２は本発明における実施例１の水浄化装置に設けられた濾材捕捉手段の模式構成図である。図２の（ａ）、（ｂ）において２８は濾材捕捉手段であり、内径がφＤ1、内部高さがｈ2である筐体２８ａと、その上部に設けられた流出口２８ｂと、筐体内部上端からその先端の中心までの距離がｈ1で水平に対してθ1の角度を有して筐体２８ａの内接線方向設けられた内径がφＤ2の流入管２８ｃとで構成されている。
【００２４】
次に濾過手段１９の逆洗時で濾材捕捉手段２８の濾材捕捉時の動作・作用を、図２を用いて説明する。流入管２８ｃから気泡及び僅かな粒状濾材１９ａを含んだ水が流れ込むと、筐体２８ａの内壁に添って水が旋回し、旋回した水は中央部から流出するようになる。しかしこの際、水は水平に対してθ1の角度を有して流入するため粒状濾材１９ａもこの方向に吐出され旋回しながら底部２８ｄ近傍で旋回することになる。しかし、気泡は浮力を有するため流入管吐出部から流出部２８ｂ付近の筐体中芯部に集められ水とともに流出部から排出されるようになり、比重の大きい粒状濾材１９ａのみが捕捉されるようになる。
【００２５】
図３は、濾材捕捉手段２８の流入管２８ｃの取り付け角度θ1による濾材捕捉特性を示すグラフであり、発明者らの実験では、θ1が４５〜７５°の時濾材捕捉率が最大となることを確認している。
【００２６】
図４は、濾材捕捉手段２８の流入管２８ｃと筐体２８ａの、それぞれの内径比ε1＝Ｄ2／Ｄ1による濾材捕捉特性を示すグラフであり、発明者らの実験では、ε1が約２．５の時ピークとなり１．５〜３．５の時、濾材捕捉率が良好な結果が確認された。
【００２７】
図５は、濾材捕捉手段２８の筐体２８ａ長さｈ2及び流入管２８ｃ取り付け高さｈ1の寸法比ε2＝ｈ2／ｈ1による濾材捕捉特性を示すグラフであり、発明者らの実験では、ε2が３以上の時、濾材捕捉率が最大となった。しかし、ｈ2が大きくなれば濾材捕捉手段２８は大きくなるため好ましくない。最小で効果が大きいのは３〜５程度である。
【００２８】
（実施例２）
また図６は本発明における実施例２の水浄化装置に設けられた濾材捕捉手段の模式構成
図である。図６において２８ｅは筐体２８ａに挿入されたオリフィス状の濾材巻上防止体である。その他は実施例１と同様であり記述を省略する。
【００２９】
次に濾過手段１９の逆洗時で濾材捕捉手段２８の濾材捕捉時の動作・作用を、図６を用いて説明する。底部２８ｄに粒状濾材１９ａが捕捉された状態で流入管２８ｃから気泡及び僅かな粒状濾材１９ａを含んだ水が流れ込むと、流入初期は旋回流が確実に形成されておらず底部２８ｄに捕捉された粒状濾材１９ａは流出部２８ｂから流出することがあるが、オリフィス状の濾材巻上防止体２８ｅがあるため底部２８ｄに水が流れにくく中芯部での水による粒状濾材１９ａの巻き上がりが減少し、結果として濾材捕捉手段２８での濾材捕捉性能が向上するようになる。その他は実施例１と同様であり省略する。
【００３０】
（実施例３）
また図７は本発明における実施例３の水浄化装置に設けられた濾材捕捉手段の模式構成図である。図７において２８ｆは筐体２８ａに挿入されたφＤ3の開口部を有するオリフィス状の濾材巻上防止体であり、その上面部分は全面が上側方向にθ2の角度を有している。その他は実施例１と同様であり記述を省略する。
【００３１】
次に濾過手段１９の逆洗時で濾材捕捉手段２８の濾材捕捉時の動作・作用を、図７を用いて説明する。流入管２８ｃから気泡及び僅かな粒状濾材１９ａを含んだ水が流れ込むと、筐体２８ａの内壁に添って水が旋回し、粒状濾材１９ａは濾材巻上防止体２８ｆを通過し底部近傍へ導かれて旋回することになる。また旋回した水は含まれる空気を分離しながらその空気と共に中央部から流出するようになが、濾材巻上防止体２８ｆを通過せずその上方近傍で旋回する粒状濾材１９ａもある。しかし、濾材巻上防止体２８ｆの上面部分は全面が上側方向にθ2の角度を有しているため、流入管２８ｃからの水の吐出がなくなれば重力により傾斜面に添って濾材巻上防止体２８ｆより下方に導かれることになる。よって確実に濾材１９ａを濾材捕捉手段２８で収集することができる。その他は実施例１及び２と同様であり省略する。
【００３２】
図８は、濾材捕捉手段２８内に設けられた濾材巻上防止体２８ｆの上面部分の開口角度θ2による濾材捕捉性能を示すグラフであり、発明者らの実験では、θ2が約９０°の時、濾材捕捉率が最大となることを確認している。
【００３３】
図９は、濾材捕捉手段２８の濾材巻上防止体２８ｆ開口、筐体２８ａのそれぞれの内径比ε3＝Ｄ3／Ｄ1による濾材捕捉特性を示すグラフであり、発明者らの実験では、ε3が約０．３〜０．５の時濾材捕捉率がピークとなることが確認された。
【００３４】
（実施例４）
また図１０は本発明における実施例４の水浄化装置に設けられた濾材捕捉手段の模式構成図である。図１０において２８ｇは筐体２８ａ上端中央部２８ｈに下方側に突出させて設けたパイプ状の分離壁である。その他は実施例３と同様であり記述を省略する。
【００３５】
次に濾過手段１９逆洗時で濾材捕捉手段２８の濾材捕捉時の動作・作用を、図１０を用いて説明する。流入管２８ｃから気泡及び僅かな粒状濾材１９ａを含んだ水が流れ込むと、筐体２８ａの内壁に添って水が旋回し、粒状濾材１９ａは旋回しながら底部２８ｄ近傍へ導かれる。また水が旋回することにより含まれる空気が筐体の中心軸上に分離されるようなるが、分離壁があるために確実に分離壁の先端より下方側に空気が集中して集められる。この様になれば、気泡の付着等により浮上し易い粒状濾材１９ａが存在しても、空気が流出部２８ｂから流出する際に確実に分離されるため空気の流出に伴って粒状濾材１９ａが流出することがない。よって濾材の流出が限りなくゼロに近づけることができるようになる。その他は実施例１〜３に記述した内容と同じであり省略する。
【００３６】
図１１は、濾材捕捉手段２８の筐体２８ａの内径、及び分離壁２８ｇの突出長さｈ3の寸法比ε4＝ｈ1／ｈ3による濾材捕捉特性を示すグラフであり、発明者らの実験では、ε4が約０．３〜０．８の時、濾材捕捉率が良好となることが確認された。
【００３７】
以上本実施例では以下に示す効果がある。
【００３８】
（１）粒状濾材を比重の大きいアルミナで構成することにより、粒状濾材の流出を減少させることができると共に、比較的粒状濾材の粒径を小さくできるため濾過性能を向上させることができる。
【００３９】
（２）排水管を浴槽に接続した循環回路の往側に接続させることで特別な排水管が不要となる。よって、集合住宅等でも設置可能な形態となる。
【００４０】
（３）濾過手段に給湯加熱部からの温水を供給することで、濾過手段の洗浄効率が向上する。
【００４１】
【発明の効果】
以上説明したように本発明の水浄化装置は、逆流洗浄時に濾過手段から流出した粒状濾材を捕捉する粒状濾材径より大きな流路径を有する濾材捕捉手段を有することで、粒状濾材が水の流れから分離され濾材捕捉手段下方部に堆積させることとなる。つまり、濾過手段の洗浄排水から粒状濾材が確実に分離され、機器（排水管に設けられた弁などの故障）の信頼性を向上させることができる。
【図面の簡単な説明】
【図１】
本発明の実施例１における水浄化装置の濾過及び逆洗動作を示す模式構成図
【図２】
同装置の濾材捕捉手段の模式構成図
【図３】
同装置の流入管の取り付け角度による濾材捕捉特性を示す特性図
【図４】
同装置の濾材捕捉手段及び流入管の内径比による濾材捕捉特性を示す特性図
【図５】
同装置の濾材捕捉手段の長さ及び流入管取り付け高さの寸法比による濾材捕捉特性を示す特性図
【図６】
本発明の実施例２の水浄化装置における濾材捕捉手段の模式構成図
【図７】
本発明の実施例３の水浄化装置における濾材捕捉手段の模式構成図
【図８】
同装置の濾材巻上防止体の上部角度による濾材捕捉特性を示す特性図
【図９】
同装置の濾材捕捉手段及び濾材巻上防止体の内径比による濾材捕捉特性を示す特性図
【図１０】
本発明の実施例４の水浄化装置における濾材捕捉手段の模式構成図
【図１１】
同装置の濾材捕捉手段の流出部から流入管の出口先端中心軸までの高さ及び分離壁長さの寸法比による濾材捕捉特性を示す特性図
【図１２】
従来の水浄化装置の模式構成図
【符号の説明】
１６  循環ポンプ
１７  浴槽
１８  循環回路
１９  濾過手段
１９ａ  粒状濾材
２０  風呂加熱部
２１  第一の流路切替弁
２２  第二の流路切替弁
２３  洗浄管
２４  給湯加熱部
２７  排水管
２８  濾材捕捉手段
２８ａ  筐体
２８ｂ  流出部
２８ｃ  流入管
２８ｄ  底部
２８ｅ、２８ｆ  濾材巻上防止体
２８ｇ  分離壁